(57)【特許請求の範囲】
【請求項１】
液体噴射装置の噴射ヘッドに供給する液体を収容可能であり、且つ、ケース内に格納される液体容器であって、
前記ケースは、
前記液体容器が装着される装着部と、
前記液体容器と係合可能なケース側係合部と、
前記装着部内に位置し、前記噴射ヘッドに連通する液体取入部と、
前記ケースを介して前記液体容器内の液体量を外部から視認可能な窓と、
を備え、
前記液体容器は、
前記ケースの前記装着部に装着された状態で前記ケースから取り外せないように脱離不能に前記ケース側係合部と係合する係合部と、
前記液体容器の底部に位置し、前記液体容器が前記装着部に装着された状態で前記液体取入部と接続して前記液体容器内の前記液体を前記噴射ヘッドに供給する液体供給口と、
前記液体容器の前記液体供給口よりも上側の位置に設けられており、前記液体容器内に前記液体を注入することが可能な液体注入口と、
前記液体注入口を閉塞する蓋部材であって、前記液体注入口の中心を通る軸方向とは異なる方向に力をかけられることにより開栓する前記蓋部材と、
を備える、
液体容器。
【請求項２】
請求項１に記載の液体容器であって、
前記蓋部材は前記液体注入口と互いに嵌り合うネジ構造を有する、
液体容器。
【請求項３】
請求項１に記載の液体容器であって、
前記蓋部材は前記液体注入口上をスライド移動可能に前記液体容器に取付けられている
液体容器。
【請求項４】
請求項１乃至請求項３の何れか一項に記載の液体容器を複数連結して一体に構成された液体容器複合体であって、
前記複数の液体容器は、各々の前記液体容器を対応する前記装着部に装着する方向に対して交差する方向に並べて連結されている液体容器複合体。
【請求項５】
請求項１乃至請求項４の何れか一項に記載の液体容器または液体容器複合体と、
前記液体容器に収容された前記液体を前記噴射ヘッドに供給する供給通路と、
を備える、
液体供給システム。
【発明の詳細な説明】
【技術分野】
【０００１】
本発明は、内部に液体を収容する液体容器、および液体容器内の液体を液体噴射装置に供給する技術に関する。
【背景技術】
【０００２】
液体噴射装置の一例として、いわゆるインクジェットプリンターが広く知られている。インクジェットプリンターでは、噴射ヘッドに設けられた噴射ノズルから正確な分量のインクを紙などの対象物の正確な位置に噴射することによって、画像等を印刷することが可能である。
【０００３】
こうしたインクジェットプリンターでは、インクを収容するインクタンクを備え付けておくことが提案されており（特許文献１）、噴射ノズルから噴射するインクは、インクタンクから噴射ヘッドに供給されるようになっている。このインクタンクには、インクを注入するための注入口が設けられており、インクタンク内のインクが残り少なくなったら（所定量より減少したら）、別途用意したインクボトルのインクを注入口から補充することで、連続して印刷することが可能である。また、インクタンクにインクを注ぎ足していくので、インクタンク内のインクを無駄なく使うことができる。
【先行技術文献】
【特許文献】
【０００４】
【特許文献１】特開２００５−２１９４８３号公報
【発明の概要】
【発明が解決しようとする課題】
【０００５】
しかしながら、インクタンクが備え付けられているインクジェットプリンターでは、購入して最初のインク充填（初期充填）を行う際に、次のような理由から、正常に印刷可能となるまでに時間がかかったり、大量のインクを使ったりすることがあるという問題があった。先ず、購入時にはインクタンク内は空であり、印刷を開始するに当たってインクボトルのインクをインクタンクに移す（注ぐ）作業が必要である。このとき、インクボトル内のインクが仮に脱気されていても、インクには多くの空気（気泡）が取り込まれこととなる。そして、このように空気を含んだインクが噴射ヘッドに充填されて、噴射ノズルからインクではなく空気が打ち出されると、印刷不良（いわゆるドット抜け）が生じる。そのため、インク内の空気が浮き上がるまでの待ち時間（例えば３０分）を要したり、噴射ヘッド内に溜まった空気を噴射ノズルから吸引してインクとともに排出するのに大量のインクを用いたりすることがある。
【０００６】
この発明は、従来の技術が有する上述した課題を解決するためになされたものであり、液体容器に液体を注ぎ足すことが可能でありながら、初期充填時には脱気度を保持したまま液体容器内の液体を噴射ヘッドに充填することが可能な技術の提供を目的とする。
【課題を解決するための手段】
【０００７】
上述した課題の少なくとも一部を解決するために、本発明の液体容器は次の構成を採用した。すなわち、
液体を噴射する噴射ヘッドと、該噴射ヘッドと連通する液体取入部と、該液体取入部が設けられた装着部とを備えた液体噴射装置とは独立して構成され、該噴射ヘッドに供給される液体を内部に収容する液体容器であって、
前記液体容器の底部に開口し、該液体容器が前記装着部に装着されることにより、前記液体取入部に気密に接合して該液体容器内の液体を供給する液体供給口と、
前記液体取入部と前記液体供給口とが接合すると、前記装着部から前記液体容器を脱離不能に前記液体噴射装置の一部と係合する係合部と、
前記液体容器の前記液体供給口よりも上側の位置に設けられており、該液体容器内に液体を注入することが可能な液体注入口と
を備えることを要旨とする。
【０００８】
このような本発明の液体容器は、液体噴射装置とは独立して（別体に）構成されており、液体の入った液体容器を液体噴射装置の装着部に装着することによって、装着部に設けられた液体取入部と、液体容器の底部に開口する液体供給口とが気密に接合して液体容器内の液体が噴射ヘッドに供給される。また、液体容器には、液体噴射装置の一部と係合する部分（係合部）が設けられており、液体取入部と液体供給口とが接合した状態では、装着部から液体容器を脱離不能な態様で係合する。さらに、液体容器の液体供給口よりも上側の位置には、液体注入口が設けられており、液体容器に液体を補充することが可能となっている。
【０００９】
上述した構成を有する本発明の液体容器によれば、液体容器に液体を注ぎ足すことが可能でありながら、噴射ヘッドに最初に液体を充填する際（初期充填時）には、液体の脱気度を低下させることなく噴射ヘッドに液体を充填することができる。すなわち、本発明とは異なり、液体噴射装置に液体容器が予め一体に備え付けられている場合には、初期充填に当たって空の状態の液体容器に、別途用意された液体ボトルなどから液体を注ぎ入れることによって、液体に空気が入ってしまい泡立つことがある。そして、このような気泡を含んだ液体が噴射ヘッドに充填されると、液体が適切に噴射されない不具合が生じる。これに対して、本発明のように液体容器を液体噴射装置とは別体に構成しておき、液体の入った液体容器を液体噴射装置の装着部に装着するようにすれば、初期充填に当たって液体に空気が入り難く、液体の脱気度を保持したまま噴射ヘッドに液体を充填することができる。結果として、液体から空気が抜けるまで待つ必要がないので、液体を適切に噴射可能となるまでの時間を短縮することができる。また、噴射ヘッド内の空気を液体とともに吸引して排出する処理（いわゆるクリーニング）を行う場合でも、軽微なクリーニングでよいので、排出する液体の量を抑えることができる。
【００１０】
また、液体容器は、液体噴射装置の装着部に一旦装着すると、液体噴射装置の一部と係合して脱離不能となる。そして、液体容器内の液体が少なくなったら、液体注入口から液体を注ぎ足すことができるので、噴射ヘッドから連続して液体を噴射することが可能であり、且つ、液体容器内の液体を無駄なく使うことができる。
【００１１】
上述した本発明の液体容器では、液体注入口を塞ぐ蓋部材を備えることとして、この蓋部材は、液体容器を装着部から取り外す方向とは異なる方向に力を作用させることで開栓するようにしてもよい。
【００１２】
このようにすれば、蓋部材の開栓動作の方向が、液体容器を装着部から取り外す方向とは異なるので、蓋部材を開栓する際に液体容器の取り外し方向に力がかかることはなく、液体取入部と液体供給口との接合が緩む不具合を回避することができる。
【００１３】
また、上述した蓋部材を有する本発明の液体容器では、液体注入口および蓋部材に互いに嵌まり合うネジ構造を設けることとして、蓋部材は、液体容器を装着部から取り外す方向に対して平行な回転軸で回転させることによって開栓するようにしてもよい。
【００１４】
こうすれば、開栓する際に蓋部材を回転させる方向と、液体容器を装着部から取り外す方向とが直交することになる。そのため、蓋部材の開栓動作によって液体容器の取り外し方向に力がかかることはなく、液体取入部と液体供給口との接合が緩む不具合を回避できる。
【００１５】
こうした本発明の液体容器を複数一体に連結して液体容器複合体を構成する場合には、複数の液体容器を、各々の液体容器を対応する装着部に装着する方向に対して交差する方向に並べて連結してもよい。
【００１６】
このように複数の液体容器を一体に連結して液体容器複合体として扱うことにより、複数の液体容器をそれぞれ対応する装着部に同時に装着することが可能となる。そのため、複数の液体容器を対応する装着部に個別に装着する場合に比べて、液体容器の装着にかかる手間や時間を省くことができる。
【００１７】
また、上述した液体容器複合体では、次のようにしてもよい。先ず、液体噴射装置では、液体容器内の液体に対応付けられた認証符号が入力されると、その認証符号に基づいて、噴射ヘッドから噴射するのに適した液体であることを認証する。そして、液体容器複合体を液体噴射装置に装着する前に複数の液体容器の各々に収容された液体には、共通の認証符号を対応付けてもよい。
【００１８】
複数の液体容器にそれぞれ異なる液体を収容して、液体の種類毎に噴射ヘッドに供給される液体噴射装置において、認証符号によって液体を認証する場合には、液体の種類を取り違えることのないように、液体の種類毎に異なる認証符号が対応付けられるのが一般的であり、液体の種類が増えると、認証符号の入力が煩雑となる。しかし、複数の液体容器を一体に連結して液体容器複合体として扱えば、初期充填時においては液体の種類を取り違えることがないので、各液体に共通の認証符号を対応付けることができる。その結果、液体の種類毎に認証符合を入力する必要がなく、液体容器複合体で１つの認証符号を入力するだけでよいので、認証符号の入力の手間を大幅に省くことができる。
【００１９】
また、前述した本発明の液体容器は、液体噴射装置に装着されることで、内部に収容した液体が液体噴射装置の噴射ヘッドに供給される。このため、本発明は、液体容器内の液体を液体噴射装置に供給するための液体供給システムの態様で把握することも可能である。そこで、本発明の液体供給システムは、次の構成を採用した。すなわち、
噴射ヘッドから液体を噴射する液体噴射装置に、該液体噴射装置とは独立して構成された液体容器内の液体を供給するための液体供給システムであって、
前記液体噴射装置には、
前記噴射ヘッドと連通し、該噴射ヘッドから噴射する液体を取り入れる液体取入部と、
前記液体取入部が設けられ、且つ、前記液体容器が装着される装着部と
が設けられており、
前記液体容器には、
前記液体容器の底部に開口し、該液体容器が前記装着部に装着されることにより、前記液体取入部に気密に接合して該液体容器内の液体を供給する液体供給口と、
前記液体取入部と前記液体供給口とが接合すると、前記装着部から前記液体容器を脱離不能に前記液体噴射装置の一部と係合する係合部と、
前記液体容器の前記液体供給口よりも上側の位置に設けられており、該液体容器内に液体を注入することが可能な液体注入口と
が設けられていることを要旨とする。
【００２０】
このような本発明の液体供給システムにおいては、液体容器が液体噴射装置とは独立して（別体に）構成されており、液体の入った液体容器を液体噴射装置の装着部に装着することによって、装着部に設けられた液体取入部と、液体容器の底部に開口する液体供給口とが気密に接合して液体容器内の液体が噴射ヘッドに供給される。また、液体容器には、液体噴射装置の一部と係合する部分（係合部）が設けられており、液体取入部と液体供給口とが接合した状態では、装着部から液体容器を脱離不能な態様で係合する。さらに、液体容器の液体供給口よりも上側の位置には、液体注入口が設けられており、液体容器に液体を補充することが可能となっている。
【００２１】
このような本発明の液体供給システムによれば、液体容器が液体噴射装置とは別体に構成されており、液体の入った液体容器を液体噴射装置の装着部に装着することで、噴射ヘッドに最初に液体を充填する（初期充填）に当たって液体に空気が入り難いので、液体の脱気度を保持したまま噴射ヘッドに液体を充填することができる。また、液体容器は、液体噴射装置の装着部に一旦装着すると、液体噴射装置の一部と係合して脱離不能となる。そして、液体容器内の液体が少なくなったら、液体注入口から液体を注ぎ足すことができるので、噴射ヘッドから連続して液体を噴射することが可能であり、且つ、液体容器内の液体を無駄なく使うことができる。
【図面の簡単な説明】
【００２２】
【図１】本実施例の液体消費装置としてのインクジェットプリンターを例示した説明図である。
【図２】インクジェットプリンターの大まかな内部構造を示した説明図である。
【図３】インクタンクが格納されるタンクケースの構成を示した斜視図である。
【図４】タンクケースの挿入孔にインクタンクを挿入して装着する様子を示した説明図である。
【図５】インクタンクのインク注入口および蓋部材の周辺を拡大して示した説明図である。
【図６】第１変形例の蓋部材によってインク注入口を開閉する様子を示した説明図である。
【図７】第２変形例の蓋部材によってインク注入口を開閉する様子を示した説明図である。
【図８】第３変形例の蓋部材によってインク注入口を開閉する様子を示した説明図である。
【図９】４つのインクタンクが一体に連結されたタンクセットをタンクケースに装着する様子を示した説明図である。
【発明を実施するための形態】
【００２３】
以下では、上述した本願発明の内容を明確にするために、次のような順序に従って実施例を説明する。
Ａ．インクジェットプリンターの構成：
Ｂ．インクタンクおよびタンクケースの構成：
Ｃ．変形例：
Ｃ−１．第１変形例：
Ｃ−２．第２変形例：
Ｃ−３．第３変形例：
Ｃ−４．第４変形例：
【００２４】
Ａ．インクジェットプリンターの構成  ：
図１は、本実施例の液体噴射装置としてのインクジェットプリンター１０を例示した説明図である。図示したインクジェットプリンター１０は、略箱形の外観形状をしており、前面のほぼ中央には前面カバー１１が設けられ、その左隣には複数の操作ボタン１５が設けられている。前面カバー１１は下端側で軸支されており、上端側を手前に倒すと、印刷用紙２が排出される細長い排紙口１２が現れる。また、インクジェットプリンター１０の背面側には、図示しない給紙トレイが設けられており、給紙トレイに印刷用紙２をセットして操作ボタン１５を操作すると、給紙トレイから印刷用紙２が送り込まれて、内部で印刷用紙２の表面に画像等が印刷された後、排紙口１２から印刷用紙２が排出されるようになっている。
【００２５】
また、インクジェットプリンター１０の上面側には天面カバー１４が設けられている。天面カバー１４は、奥側で軸支されており、手前側を持ち上げて天面カバー１４を開くと、インクジェットプリンター１０の内部の状態を確認したり、あるいはインクジェットプリンター１０の修理などを行ったりすることが可能となっている。
【００２６】
さらに、インクジェットプリンター１０の図中の左側面には、箱形形状のタンクケース１００が設けられている。詳細には後述するが、タンクケース１００の内部には、インクを収容するインクタンクが複数格納されており、印刷に用いるインクは、このインクタンクから供給されるようになっている。
【００２７】
図２は、インクジェットプリンター１０の内部構造を大まかに示した説明図である。図示されているように、インクジェットプリンター１０の内部には、印刷用紙２上を往復動するキャリッジ２０が設けられている。キャリッジ２０の底面側（印刷用紙２を向いた側）には、複数の噴射ノズルが形成された噴射ヘッド２２が搭載されており、噴射ノズルから印刷用紙２に向かってインクを噴射して画像等の印刷を行う。本実施例のインクジェットプリンター１０では、シアン色、マゼンタ色、イエロー色、黒色の４種類のインクを用いてカラー画像を印刷することが可能であり、このことと対応して、キャリッジ２０に搭載された噴射ヘッド２２には、インクの種類毎に噴射ノズルが設けられている。
【００２８】
キャリッジ２０は、図示しない駆動機構によって駆動されて、ガイドレール２８でガイドされながら印刷用紙２上で往復動を繰り返す。また、インクジェットプリンター１０には、印刷用紙２を紙送りするための図示しない紙送機構も設けられており、キャリッジ２０が往復動する動きに対応して印刷用紙２が少しずつ紙送りされる。そして、キャリッジ２０が往復動する動きと、印刷用紙２が紙送りされる動きとに合わせて、噴射ヘッド２２の噴射ノズルから正確な量のインクを噴射することによって、印刷用紙２に画像等が印刷される。
【００２９】
噴射ヘッド２２の噴射ノズルから噴射されるインクは、タンクケース１００内に格納されたインクタンク１５０に収容されている。本実施例のインクジェットプリンター１０では、シアン色、マゼンタ色、イエロー色、黒色の４種類のインクを使用することから、インクの種類毎のインクタンク１５０が用意されている。それぞれのインクタンク１５０内のインクは、チューブ等で構成されたインクの種類毎の供給通路２００を介して、キャリッジ２０の噴射ヘッド２２に供給される。本実施例のインクジェットプリンター１０では、供給通路２００の途中に供給ポンプ２０２が設けられており、供給ポンプ２０２の作動によってインクタンク１５０内のインクを吸引して噴射ヘッド２２に圧送するようになっている。尚、インクタンク１５０およびタンクケース１００の詳細な構成については、後ほど別図を用いて説明する。また、本実施例のインクタンク１５０は、本発明の「液体容器」に相当している。
【００３０】
加えて、キャリッジ２０をガイドレール２８に沿って印刷用紙２の外側まで移動させた位置には、ホームポジションと呼ばれる領域が設けられている。ホームポジションには、キャップ３０が設けられており、このキャップ３０は、図示しない昇降機構によって上下方向に移動可能となっている。インクジェットプリンター１０が画像等を印刷していない間は、キャリッジ２０をホームポジションに移動させて、キャップ３０を上昇させると、キャップ３０が噴射ヘッド２２の底面側に押し当てられて噴射ノズルを覆うように閉空間が形成されるので、噴射ヘッド２２内のインクが乾燥することを抑制できる。また、キャップ３０には、吸引チューブ３２を介して吸引ポンプ３４が接続されており、噴射ヘッド２２の底面側にキャップ３０を押し当てた状態で吸引ポンプ３４を作動させることにより、噴射ヘッド２２内のインクを吸い出す動作（いわゆるクリーニング）が実行される。
【００３１】
更に、インクジェットプリンター１０の内部には、インクジェットプリンター１０の全体の動作を制御する制御部４０が搭載されている。キャリッジ２０を往復動させる動作や、印刷用紙２を紙送りする動作や、噴射ノズルからインクを噴射する動作や、正常に印刷可能なようにメンテナンスを実行する動作などは、全て制御部４０によって制御されている。
【００３２】
Ｂ．インクタンクおよびタンクケースの構成  ：
図３は、インクタンク１５０が格納されるタンクケース１００の構成を示した斜視図である。図示されているように、箱形形状の本実施例のタンクケース１００では、上面を構成する上面カバー１０２が一端で回動可能に軸支されており、他端側を持ち上げるようにして上面カバー１０２を開けると、内部に格納されたインクタンク１５０が現れる。このインクタンク１５０は、インクジェットプリンター１０とは独立して（別体に）構成されている。そして、インクジェットプリンター１０を購入して印刷を開始する際には、インクが収容されたインクタンク１５０をタンクケース１００に装着するようになっている。尚、図示したインクタンク１５０は、直方体形状に形成されているが、インクタンク１５０の形状はこれに限定されず、例えば、円筒形状であってもよい。
【００３３】
タンクケース１００の内部には、インクタンク１５０を挿入する挿入孔１０４がインクタンク１５０毎に設けられており、これら挿入孔１０４は鉛直上方に向けて開口している。インクタンク１５０をタンクケース１００に装着する際には、鉛直上方から挿入孔１０４にインクタンク１５０を挿入して底に押し付けるように装着する。尚、本実施例のタンクケース１００の挿入孔１０４は、本発明の「装着部」に相当している。
【００３４】
また、図示されているように、タンクケース１００の側面には、確認窓１０６が設けられており、この確認窓１０６からは、タンクケース１００に装着されたインクタンク１５０の側面の下部を視認可能となっている。加えて、本実施例のインクタンク１５０は透明または半透明の材料で形成されているため、確認窓１０６から目視によってインクタンク１５０内の残りのインク量を確認することができる。
【００３５】
図４は、タンクケース１００の挿入孔１０４にインクタンク１５０を挿入して装着する様子を示した説明図である。図４では、インクジェットプリンター１０の手前側から奥側に向かってタンクケース１００およびインクタンク１５０を鉛直面で切断した断面図が示されている。先ず、図示されているように、挿入孔１０４の底面には、インクタンク１５０からインクを取り入れるためのインク取入針１０８が鉛直上方に向けて立設されている。インク取入針１０８の先端には、インク取入口１０８ｈが開口しており、このインク取入口１０８ｈは、供給通路２００を介して噴射ヘッド２２に連通している。尚、本実施例のインク取入針１０８は、本発明の「液体取入部」に相当している。
【００３６】
一方、タンクケース１００の挿入孔１０４に挿入されるインクタンク１５０の底面には、インク供給口１５２が設けられている。タンクケース１００に装着前のインクタンク１５０では、インク供給口１５２が封止フィルム１５４によって覆われて塞がれている。そして、インクタンク１５０を挿入孔１０４に挿入して底まで押し下げると、インク取入針１０８が封止フィルム１５４を突き破ってインク供給口１５２に挿入される。このインク供給口１５２の内周面には、ゴム等の弾性材料で形成されたシール部材１５６が設けられており、挿入されたインク取入針１０８の側面に密接してインクが漏れ出ることを防いでいる。尚、本実施例のインク供給口１５２は、本発明の「液体供給口」に相当している。
【００３７】
こうしてインク供給口１５２にインク取入針１０８が挿入されて気密に接合されると、前述したように供給ポンプ２０２の作動によって、インクタンク１５０内のインクが吸引されて噴射ヘッド２２に向けて圧送される。尚、タンクケース１００に装着前のインクタンク１５０において、インクタンク１５０内のインクは脱気されていることが望ましい。インクを脱気しておくことによって、インクの成分が空気と反応することが抑えられるので、インクの劣化を抑制することができる。
【００３８】
また、図４に示されているように、タンクケース１００の挿入孔１０４の上端側には、一対の鉤部１１０が設けられており、インクタンク１５０の側面の上部の位置には、一対の窪み１５８が設けられている。一対の鉤部１１０は、挿入孔１０４に挿入されるインクタンク１５０の側面に当接することで、外側に押し広げられるように移動する。しかし、インクタンク１５０が挿入孔１０４の底まで完全に押し込まれる（インクタンク１５０がタンクケース１００に装着される）と、鉤部１１０が元の位置に戻って窪み１５８に係合するので、インクタンク１５０をタンクケース１００から取り外すことが不可能となる。尚、本実施例の窪み１５８は、本発明の「係合部」に相当している。
【００３９】
さらに、インクタンク１５０の上面には、インクタンク１５０内にインクを注入するための円形のインク注入口１６０が設けられており、このインク注入口１６０は、蓋部材１６２によって塞がれている。本実施例のインクタンク１５０の蓋部材１６２は、直径が異なる２つの円筒を重ね合わせた形状をしており、直径の小さい側の円筒が円形のインク注入口１６０に嵌め込まれている。尚、本実施例のインク注入口１６０は、本発明の「液体注入口」に相当している。
【００４０】
図５は、図４に示したインクタンク１５０のインク注入口１６０および蓋部材１６２の周辺を拡大して示した説明図である。前述したように、インクタンク１５０の上面に設けられたインク注入口１６０は、蓋部材１６２によって塞がれている。本実施例のインクタンク１５０の蓋部材１６２は、コルク栓のようにインク注入口１６０の上方に引き抜くタイプではなく、インク注入口１６０と互いに嵌り合うネジ構造を有している。すなわち、図５（ａ）に示すように、円形のインク注入口１６０の内周面に螺旋状に刻まれた溝と、円筒形状の蓋部材１６２の側面に螺旋状に刻まれた溝とがちょうど嵌まるように形成されている。このようなネジ構造を有する蓋部材１６２は、インク注入口１６０の中心を通る鉛直方向の回転軸で反時計周り（図４（ａ）中の白抜きの矢印の方向）に回転させることによって開栓する。
【００４１】
また、本実施例の蓋部材１６２の内部には、インクタンク１５０内に空気を取り入れるための大気開放通路１６４が形成されている。この大気開放通路１６４は、一端が蓋部材１６２の底面（インクタンク１５０の内側に向いた面）に開口しており、他端が蓋部材１６２の側面（ネジ溝が刻まれた面）に開口している。以下では、蓋部材１６２の側面にある側の開口を「側面開口」と呼ぶことがあるものとする。
【００４２】
タンクケース１００に装着前のインクタンク１５０では、図５（ａ）に示すように、大気開放通路１６４の側面開口がインク注入口１６０の内周面によって塞がれる深さまで蓋部材１６２がインク注入口１６０に嵌め込まれている。このため、インクタンク１５０を倒したり傾けたりしても、内部のインクが大気開放通路１６４から漏れ出ることはない。また、インクタンク１５０内のインクを脱気しておく場合には、脱気状態を保つことができる。
【００４３】
一方、インクタンク１５０をタンクケース１００に装着したら、蓋部材１６２を開栓方向に回転させて、図５（ｂ）に示すように、大気開放通路１６４の側面開口の少なくとも一部がインクタンク１５０の上面よりも上方に出た状態（側面開口の少なくとも一部がインク注入口１６０の内周面で覆われていない状態）にする。
【００４４】
前述したように、インクタンク１５０内のインクは、供給ポンプ２０２の作動によって吸引されて、噴射ヘッド２２に圧送される。このとき、大気開放通路１６４を通って空気がインクタンク１５０内に取り入れられることから、インクタンク１５０内が負圧になることはない。また、蓋部材１６２を完全に取り外さなくてよいので、インク注入口１６０から埃などの異物が入ることを防いだり、インクの成分が揮発するのを抑えたりすることができる。
【００４５】
そして、インクタンク１５０内のインクが消費されて残り少なくなったら（所定量よりも減少したら）、蓋部材１６２を開栓方向に回転させて取り外すことにより、図５（ｃ）に示すように、別途用意したインクボトル３００のインクをインク注入口１６０から注ぎ入れて補充することができる。このようにインクタンク１５０へのインクの注ぎ足しを可能にすることによって、連続して印刷することが可能であり、尚且つ、インクタンク１５０内のインクを無駄なく使うことができる。
【００４６】
以上のように、本実施例のインクタンク１５０は、インクジェットプリンター１０とは別体に構成されており、インクジェットプリンター１０を購入して印刷を開始するに際して、インクの入ったインクタンク１５０をタンクケース１００に装着するようになっている。また、インクタンク１５０には、インク注入口１６０が設けられており、インクの補充が可能となっている。こうすることで、インクタンク１５０にインクを注ぎ足して無駄なく使うことが可能でありながら、噴射ヘッド２２に最初にインクを充填する際（初期充填時）には、インクの脱気度を低下させることなく噴射ヘッド２２にインクを充填することができる。以下では、この点について詳しく説明する。
【００４７】
先ず、本実施例とは異なり、インクジェットプリンター１０に予め一体に備え付けられている従来のインクタンク４００では、初期充填に当たって空の状態のインクタンク４００に、別途用意されたインクボトル３００のインクを注ぎ入れることによって、インクに空気が入ってしまい泡立つことがある。そして、このような気泡を含んだインクが噴射ヘッド２２に充填されると、噴射ノズルからインクではなく空気（気泡）が打ち出されて、「ドット抜け」と呼ばれる印刷不良が発生してしまう。
【００４８】
これに対して、本実施例のように、インクタンク１５０をインクジェットプリンター１０とは別体に構成しておき、インクの入ったインクタンク１５０をタンクケース１００に装着するようにすれば、初期充填に当たってインクに空気が含まれることを抑制して、インクの脱気度を保持したまま噴射ヘッド２２にインクを充填することができる。結果として、インクから空気が抜けるのを待つ必要がないので、正常に印刷可能となるまでの時間を短縮することができる。また、噴射ヘッド２２内の空気を排出するためにクリーニング（噴射ヘッド２２内のインクを噴射ノズルから吸い出す動作）を行う場合でも、軽微なクリーニングでよいので、排出するインクの量を抑えることができる。
【００４９】
特に、タンクケース１００に装着前のインクタンク１５０において、予め内部のインクを脱気しておけば、脱気度の高いインクを噴射ヘッド２２に充填することができるので、一層効果的である。すなわち、脱気度の高いインクは、噴射ヘッド２２の内壁などに残存する極微量の気泡を溶存させることができ、その結果、上述したドット抜けが生じ難くなるので、一層効果的である。
【００５０】
また、本実施例のインクタンク１５０は、タンクケース１００に一旦装着すると、タンクケース１００側の鉤部１１０とインクタンク１５０側の窪み１５８とが係合して、タンクケース１００から取り外すことが不可能となる。そして、インクタンク１５０内のインクが残り少なくなったら、インクタンク１５０の上面に設けられているインク注入口１６０からインクを注ぎ足すことができるので、連続印刷が可能であり、且つ、インクタンク１５０内のインクを無駄なく使うことができる。
【００５１】
尚、インクタンク１５０に所定量のインクが残っている状態でインクを注ぎ足すようにすれば、インクを注入する際にインクに空気が入ったとしても、その気泡を含んだインクが直ちに噴射ヘッド２２に供給されることはなく、印刷に影響する可能性は低い。すなわち、気泡を含んだインクが噴射ヘッド２２に供給されることとなる要因の１つは、インクで濡れていないインクタンク１５０内面と、注入されたインクとの界面に気泡が発生することにある。そこで、インクタンク１５０内にインクが残っている状態でインクを注ぎ足せば、気泡が発生する可能性があるのは、インクから露出したインクタンク１５０の内面と、注ぎ足されたインクとの界面だけとなるので、気泡を含んだ液体が噴射ヘッド２２に供給されて印刷に影響する可能性は低い。また、この注ぎ足されたインクが脱気度の高いインクであれば、注ぎ足されてから消費される（噴射ヘッド２２に供給される）までの間に気泡を溶存させることができるので、一層効果的である。
【００５２】
さらに、本実施例のインクタンク１５０では、インク注入口１６０を塞ぐ蓋部材１６２がネジ式になっており、インク注入口１６０の中心を通る鉛直方向の回転軸で蓋部材１６２を回転させることによって開栓する。この蓋部材１６２の開栓動作の方向は、インクタンク１５０をタンクケース１００から取り外す方向（鉛直上方）とは異なっている。そのため、蓋部材１６２の開栓動作によって、インクタンク１５０をタンクケース１００から取り外す方向に力がかかることはなく、インク供給口１５２とインク取入針１０８との接合が緩む不具合を回避することができる。
【００５３】
Ｃ．変形例  ：
以上に説明した本実施例のインクタンク１５０には、幾つかの変形例が存在している。以下では、これら変形例について説明する。尚、変形例の説明にあたっては、前述した実施例と同様の構成部分については、先に説明した実施例と同様の符号を付し、その詳細な説明を省略する。
【００５４】
Ｃ−１．第１変形例  ：
前述したように、蓋部材１６２を開ける動作の方向は、インクタンク１５０をタンクケース１００から取り外す方向と異なっていることが好ましく、前述の実施例では、ネジ式の蓋部材１６２を採用していた。しかし、インク注入口１６０を塞ぐ蓋部材の態様はこれに限られるわけではない。
【００５５】
図６は、第１変形例の蓋部材１７０によってインク注入口１６０を開閉する様子を示した説明図である。図６には、インクタンク１５０を上方から見た平面図が示されている。先ず、図６（ａ）に示すように、第１変形例のインクタンク１５０にも、前述した実施例と同様に、上面に円形のインク注入口１６０が設けられている。ただし、第１変形例のインクタンク１５０のインク注入口１６０は、ネジ式の蓋部材１６２ではなく、インク注入口１６０よりも大きい円板形状の蓋部材１７０によって覆われている。
【００５６】
この第１変形例の蓋部材１７０は、インク注入口１６０から外れた位置に回転軸１７２を有しており、回転軸１７２を中心にして、円板形状の蓋部材１７０をインクタンク１５０の上面と平行に回転可能となっている。そして、蓋部材１７０を回転させると、図６（ｂ）に示すようにインク注入口１６０が現れるので、インクタンク１５０にインクを注入して補充することができる。
【００５７】
このような第１変形例のインクタンク１５０においても、前述した実施例と同様に、蓋部材１７０を開ける動作の方向が、インクタンク１５０をタンクケース１００から取り外す方向（鉛直上方）とは異なっている。そのため、蓋部材１７０を開ける動作でインク供給口１５２とインク取入針１０８との接合が緩む不具合を回避できる。
【００５８】
Ｃ−２．第２変形例  ：
図７は、第２変形例の蓋部材１７４によってインク注入口１６０を開閉する様子を示した説明図である。図７には、インクタンク１５０を上方から見た平面図が示されている。図７（ａ）に示すように、第２変形例のインクタンク１５０では、矩形平板の蓋部材１７４によってインク注入口１６０が覆われている。
【００５９】
この第２変形例のインクタンク１５０の上面には、溝を有する一対の枠体１７６が、溝を向き合わせてインク注入口１６０の両側に設けられている。矩形平板の蓋部材１７４の両端は、一対の枠体１７６の溝に嵌め込まれており、枠体１７６に沿って蓋部材１７４をインクタンク１５０の上面と平行にスライド移動させることが可能である。そして、蓋部材１７４をスライド移動させることによって、図７（ｂ）に示すように、インク注入口１６０が現れる。
【００６０】
このような第２変形例のインクタンク１５０においても、前述の実施例と同様に、蓋部材１７４を開ける動作の方向（水平方向）と、インクタンク１５０をタンクケース１００から取り外す方向（鉛直上方）とが異なる（直交する）ので、蓋部材１７４を開ける際にインクタンク１５０の取り外し方向に力がかかることはなく、インク供給口１５２とインク取入針１０８との接合が緩む不具合を回避できる。
【００６１】
Ｃ−３．第３変形例  ：
図８は、第３変形例の蓋部材１７８によってインク注入口１６０を開閉する様子を示した説明図である。図８には、インク注入口１６０の中心を通る鉛直面でインクタンク１５０を切断した断面図が示されている。図８（ａ）に示すように、第３変形例のインクタンク１５０では、断面形状がＬ字型の蓋部材１７８によってインク注入口１６０が覆われている。
【００６２】
この第３変形例の蓋部材１７８は、インク注入口１６０を覆う被覆部１７８ａと、被覆部１７８ａに対して垂直な作用部１７８ｂとを有しており、被覆部１７８ａと作用部１７８ｂとの交点を回動軸１８０として、回動可能に軸支されている。そして、作用部１７８ｂの先端側をインクタンク１５０の上面に向かって倒すと、図８（ｂ）に示すように、インク注入口１６０が現れるので、インクタンク１５０にインクを補充することが可能となる。
【００６３】
このような第３変形例のインクタンク１５０では、蓋部材１７８を開ける動作によって、インクタンク１５０をタンクケース１００から取り外す方向（鉛直上方）に力がかかることはなく、むしろインクタンク１５０をタンクケース１００に装着する方向（鉛直下方）に力がかかる。そのため、蓋部材１７８を開ける際にインク供給口１５２とインク取入針１０８との接合が緩む不具合を回避できる。
【００６４】
Ｃ−４．第４変形例  ：
前述した実施例では、４色のインクの色毎に用意されたインクタンク１５０を個別にタンクケース１００の対応する挿入孔１０４に挿入して装着するようになっていた。しかし、４つのインクタンク１５０を連結して一体に構成しておいてもよい。
【００６５】
図９は、４つのインクタンク１５０が一体に連結されたタンクセット１９０をタンクケース１００に装着する様子を示した説明図である。図示されているように、第４変形例では、インクの種類毎に用意された４つのインクタンク１５０を連結部材１９２で一体に連結することによってタンクセット１９０が構成されており、個別のインクタンク１５０に切り離せないようになっている。尚、第４変形例のタンクセット１９０は、本発明の「液体容器複合体」に相当している。
【００６６】
また、タンクセット１９０では、４つのインクタンク１５０が、インクタンク１５０をタンクケース１００の挿入孔１０４に挿入する方向に対して交差する方向に並べて連結されている。このようなタンクセット１９０をタンクケース１００に装着する際には、各インクタンク１５０をタンクケース１００の対応する挿入孔１０４に鉛直上方から挿入して底に押し付けるように装着する。
【００６７】
図９に示したように、各インクタンク１５０を連結する連結部材１９２の底面には、下方を向いた突起であるオス部１９４が設けられている。一方、タンクケース１００の挿入孔１０４の上端側には、連結部材１９２のオス部１９４を受け入れるメス部１９６が設けられており、タンクセット１９０がタンクケース１００に装着されると、オス部１９４がメス部１９６に挿入されて脱離不能に係合するようになっている。
【００６８】
さらに、タンクセット１９０には、１つのＩＤ番号が対応付けられている。このＩＤ番号は、インクタンク１５０内のインクが噴射ヘッド２２から噴射するのに適正なインクであることを認証するためのものであり、タンクセット１９０をタンクケース１００に装着して印刷を開始する際には、図示しない入力装置にＩＤ番号を入力する。インクジェットプリンター１０の全体の動作を制御する制御部４０は、入力されたＩＤ番号に基づいてインクタンク１５０内のインクが適正なインクであることを認証すると、印刷の開始を許可するようになっている。尚、第４変形例のＩＤ番号は、本発明の「認証符号」に相当している。また、第４変形例の制御部４０は、本発明の「認証手段」に相当している。
【００６９】
以上のように、複数のインクタンク１５０を一体に連結してタンクセット１９０として扱うことにより、複数のインクタンク１５０を同時にタンクケース１００に装着することが可能となる。そのため、複数のインクタンク１５０を個別にタンクケース１００に装着する場合に比べて、インクタンク１５０の装着にかかる手間や時間を省くことができる。
【００７０】
また、複数種類のインクを用いて印刷を行うインクジェットプリンター１０において、ＩＤ番号によってインクを認証する処理を行う場合には、インクの種類を取り違えることのないように、インクの種類毎に異なるＩＤ番号が対応付けられるのが一般的であり、インクの種類が増えると、ＩＤ番号の入力が煩雑となる。しかし、第４変形例のように、インクの種類毎のインクタンク１５０を一体に連結してタンクセット１９０として扱えば、インクの種類を取り違えることがないので、各インクに共通のＩＤ番号を対応付けることができる。結果として、インクの種類毎にＩＤ番号を入力する必要がなく、タンクセット１９０で１つのＩＤ番号を入力するだけでよいので、ＩＤ番号の入力の手間を大幅に省くことができる。
【００７１】
以上、各種の実施形態を説明したが、本発明は上記すべての実施形態に限られるものではなく、その要旨を逸脱しない範囲において種々の態様で実施することが可能である。
【００７２】
例えば、前述した実施例および変形例では、インク注入口１６０がインクタンク１５０の上面に設けられていた。しかし、インク注入口１６０の位置は、インク供給口１５２よりも上側であれば、インクタンク１５０の上面に限られるわけではなく、例えば、インクタンク１５０の側面の上部の位置であってもよい。尚、この場合でも、インク注入口１６０を塞ぐ蓋部材１６２を開ける動作の方向は、インクタンク１５０をタンクケース１００から取り外す方向とは異なっていることが好ましい。
【符号の説明】
【００７３】
１０…インクジェットプリンター、    ２０…キャリッジ、    ２２…噴射ヘッド、
４０…制御部、    １００…タンクケース、    １０４…挿入孔、
１０８…インク取入針、    １１０…鉤部、    １５０…インクタンク、
１５２…インク供給口、    １６０…インク注入口、    １６２…蓋部材、
１６４…大気開放通路、    ２００…供給通路、    ２０２…供給ポンプ
【図１】
0005884307.tif 000002
【図２】
0005884307.tif 000003
【図３】
0005884307.tif 000004
【図４】
0005884307.tif 000005
【図５】
0005884307.tif 000006
【図６】
0005884307.tif 000007
【図７】
0005884307.tif 000008
【図８】
0005884307.tif 000009
【図９】
0005884307.tif 000010